(57)【特許請求の範囲】
【請求項１】
一主表面に２列の接触パッドを有するカードと接続するカード用コネクタであって、
前記カードを受容する絶縁性のハウジングと、
該ハウジングに取付けられた２列状のコンタクトであって、一方列のコンタクトが前記カードの一方列の接触パッドに接触する弾性変形可能な第１接触アーム及び該第１接触アームから延びる第１リード部を有すると共に、他方列のコンタクトが前記カードの他方列の接触パッドに接触する弾性変形可能な第２接触アーム及び該第２接触アームから延びる第２リード部を有する２列状のコンタクトとを備えるカード用コネクタにおいて、
前記一方列のコンタクトの第１接触アームと前記他方列のコンタクトの第２接触アームとが対向配置されていると共に、
前記一方列のコンタクトの第１リード部が、前記一方列のコンタクトの第１接触アームの根元部から前記第１接触アームと平行かつ同一方向に該第１接触アームに隣接して延びるとともに、前記他方列のコンタクトの第２リード部と平行かつ同一方向に延びていることを特徴とするカード用コネクタ。
【請求項２】
前記第１リード部及び第２リード部のそれぞれが、前記ハウジングにインサート成形されていることを特徴とする請求項１記載のカード用コネクタ。
【請求項３】
前記ハウジングの端部の表面に、前記第１リード部及び第２リード部のそれぞれに形成された接触部が露出していることを特徴とする請求項１又は２記載のカード用コネクタ。
【発明の詳細な説明】
【０００１】
【発明の属する技術分野】
本発明は、スマートカードと呼ばれるＩＣカード等の、一主表面に２列の接触パッドを有するカードと接続するカード用コネクタに関する。
【０００２】
【従来の技術】
近年、コンピュータ技術の進歩によりパーソナルコンピュータが一般的に急速に広まっている。特に、ノート型パーソナルコンピュータでは、小型で高性能なものが開発され、スマートカードと呼ばれる、クレジットカードと略同寸法のＩＣカードと接続するカード用コネクタが設置されたものが開発されている。
【０００３】
ここで、スマートカードは、図９に示すように、奥行きがｌ、幅がｗ、板厚がｔの矩形状のカード１００の一主表面に２列の接触パッド１０１を備えて構成されている。
このスマートカード等の、一主表面に２列の接触パッドを有するカードと接続するカード用コネクタとして、従来、例えば図１０に示すものが知られている（特許第２８４１０４６号公報参照）。
【０００４】
このカード用コネクタ２００は、一主表面（図１０（Ａ）における下面）に２列の接触パッドを有するカードＣと接続するものであって、ハウジング２１０と、ハウジング２１０に２列状に対向配置されたコンタクト２２０と、カバー部材（図示せず）とを具備している。
ここで、ハウジング２１０は、略フレーム状に形成され、底部２１１の上方側にカードＣを受容するためのカード受容空間２１２を備えている。
【０００５】
また、各コンタクト２２０は、ハウジング２１０の底部２１１に圧入固定される固定部２２１と、固定部２２１の一端から延びるリード部２２２と、固定部２２１の他端から延びる接触アーム２２３とを備えている。そして、接触アーム２２３には、カードＣがカード受容空間２１２に受容された際に、カードＣの接触パッドに接触する接触部２２４が設けられている。接触部２２４は、通常は、ハウジング２１０の底部２１１から上方に突出している。そして、相対向するコンタクト２２０は、接触部２２４同士が互いに対向配置され、リード部２２２同士が互いに反対側に延びるようにハウジング２１０に取付けられている。また、各コンタクト２２０は、プリロード（予荷重）を掛けるために、図１０（Ａ）において実線と二点鎖線で示すように、接触アーム２２３の先端に位置する当接部２２５をハウジング２１０の底部２１１に形成された穴２１１ａの周縁部の下面に当接させてある。接触アーム２２３の接触部２２４は、図１０（Ｂ）に示すように、カードＣの接触パッドに接触した際に、穴２１１ａに引き込み可能となっている。また、リード部２２２は、図示しない回路基板に半田接続される。
【０００６】
さらに、カバー部材は、ハウジング２１０の上面上に配置され、カードＣがカード受容空間２１２に受容される際にカードＣを所定の突き当て位置まで案内する機能を有する。
また、一主表面に２列の接触パッドを有するカードと接続するカード用コネクタの他の従来例として、例えば、図１１に示すもの（欧州特許第４４４３９６号公報参照）が知られている。
【０００７】
図１１（Ａ）に示すカード用コネクタは、カードの２列の接触パッド３０１ａ，３０１ｂのそれぞれに接触する２列のコンタクト３０２ａ，３０２ｂを有している。そして、一方列の接触パッド３０１ａに接触するコンタクト３０２ａのリード部が他方列の接触パッド３０１ｂ側に向けて延び、他方列の接触パッド３０１ｂに接触するコンタクト３０２ｂのリード部が一方列の接触パッド３０１ａ側に向けて延び、両リード部は互いに反対方向に向かって延びている。
【０００８】
また、図１１（Ｂ）に示すカード用コネクタは、カードの２列の接触パッド３０１ａ，３０１ｂのそれぞれに接触する２列のコンタクト３０２ａ，３０２ｂを有している。そして、一方列の接触パッド３０１ａに接触するコンタクト３０２ａのリード部と他方列の接触パッド３０１ｂに接触するコンタクト３０２ｂのリード部とが同一方向に向かって延びている。
【０００９】
さらに、図１１（Ｃ）示すカード用コネクタも、カードの２列の接触パッド３０１ａ，３０１ｂのそれぞれに接触する２列のコンタクト３０２ａ，３０２ｂを有し、図１１（Ｂ）に示すカード用コネクタと同様に、一方列の接触パッド３０１ａに接触するコンタクト３０２ａのリード部と他方列の接触パッド３０１ｂに接触するコンタクト３０２ｂのリード部とが同一方向に向かって延びている。但し、図１１（Ｃ）のカード用コネクタにあっては、一方列の接触パッド３０１ａに接触するコンタクト３０２ａのリード部が、他方列の接触パッド３０１ｂに接触するコンタクト３０２ｂとの接触を回避するために、延出方向の途中で屈曲し、この点で図１１（Ｂ）に示すカード用コネクタと異なっている。
【００１０】
【発明が解決しようとする課題】
しかしながら、図１０及び図１１に示したカード用コネクタにあっては、以下の問題点があった。
即ち、図１０に示したカード用コネクタ２００の場合、対向配置された２列のコンタクト２２０は、リード部２２２同士が互いに反対側に延びるようにハウジング２１０に取付けられ、外部とのインターフェースが１箇所に集中していないので、回路基板以外の中継コネクタ等の外部機器との接続が容易ではないという問題点があった。
【００１１】
また、図１１（Ａ）に示したカード用コネクタの場合、一方列の接触パッド３０１ａに接触するコンタクト３０２ａのリード部が他方列の接触パッド３０１ｂ側に向けて延び、他方列の接触パッド３０１ｂに接触するコンタクト３０２ｂのリード部が一方列の接触パッド３０１ａ側に向けて延びているため、それぞれのリード部を１箇所に延出させるのは困難であるという問題点があった。
【００１２】
一方、図１１（Ｂ）及び図１１（Ｃ）に示したカード用コネクタの場合、一方列の接触パッド３０１ａに接触するコンタクト３０２ａのリード部と他方列の接触パッド３０１ｂに接触するコンタクト３０２ｂのリード部とが同一方向に向かって延びているため、外部とのインターフェースを１箇所に集中させることはできる。しかし、一方列の接触パッド３０１ａに接触するコンタクト３０２ａの接触アームの長さと他方列の接触パッド３０１ｂに接触するコンタクト３０２ｂの接触アームの長さとが異なるため、コンタクト３０２ａ，３０２ｂ双方における接触アームの好適なばね設計が困難であるという問題点があった。即ち、接触アームが接触パッドに接触したときに、接触アームの長い方が接触パッドに対しての接圧が低くなり、短い方が接触アームにおける曲げ応力が大きくなり、塑性変形を起こしてしまうおそれが大きいためである。
【００１３】
従って、本発明は上述の問題点に鑑みてなされたものであり、その目的は、外部機器との接続が容易に行え、かつ、各接触アームの好適なばね設計を容易に行える、一主表面に２列の接触パッドを有するカードと接続するカード用コネクタを提供することにある。
【００１４】
【課題を解決するための手段】
上記問題を解決するため、本発明のうち請求項１に係るカード用コネクタは、一主表面に２列の接触パッドを有するカードと接続するカード用コネクタであって、前記カードを受容する絶縁性のハウジングと、該ハウジングに取付けられた２列状のコンタクトであって、一方列のコンタクトが前記カードの一方列の接触パッドに接触する弾性変形可能な第１接触アーム及び該第１接触アームから延びる第１リード部を有すると共に、他方列のコンタクトが前記カードの他方列の接触パッドに接触する弾性変形可能な第２接触アーム及び該第２接触アームから延びる第２リード部を有する２列状のコンタクトとを備えるカード用コネクタにおいて、前記一方列のコンタクトの第１接触アームと前記他方列のコンタクトの第２接触アームとが対向配置されていると共に、前記一方列のコンタクトの第１リード部が、前記一方列のコンタクトの第１接触アームの根元部から前記第１接触アームと平行かつ同一方向に該第１接触アームに隣接して延びるとともに、前記他方列のコンタクトの第２リード部と平行かつ同一方向に延びていることを特徴としている。
【００１５】
このカード用コネクタによれば、一方列のコンタクトの第１接触アームと他方列のコンタクトの第２接触アームとが対向配置されていることから、接触アームのばね形状の設計の自由度が高く、所望のばね弾性を容易に設定することができる。このため、２列のコンタクト双方における接触アームの好適なばね設計を容易に行うことができる。そして、一方列のコンタクトの第１リード部が、一方列のコンタクトの第１接触アームの根元部から第１接触アームと平行かつ同一方向に延びるとともに、他方列のコンタクトの第２リード部と平行かつ同一方向に延びているので、外部とのインターフェースを１箇所に集中でき、外部機器との接続を容易に行うことができる。
【００１６】
また、本発明のうち請求項２に係るカード用コネクタによれば、請求項１記載の発明において、前記第１リード部及び第２リード部のそれぞれが、前記ハウジングにインサート成形されていることを特徴としている。
このカード用コネクタによれば、第１リード部及び第２リード部のそれぞれがハウジングにインサート成形されていることから、ハウジングの成形時に２列のコンタクトがハウジングに取付けられるので、ハウジングの成形後に各コンタクトを圧入によってハウジングに取付ける必要はなく、コンタクトの付加的組立作業が不要になる。
【００１７】
さらに、本発明のうち請求項３に係るカード用コネクタは、請求項１又は２記載の発明において、前記ハウジングの端部の表面に、前記第１リード部及び第２リード部のそれぞれに形成された接触部が露出していることを特徴としている。このカード用コネクタによれば、ハウジングの端部を雄型コネクタとして使用でき、外部機器への接続をより容易に行うことができる。
【００１８】
【発明の実施の形態】
次に本発明の実施形態を図面を参照して説明する。図１は本発明に係るカード用コネクタを中継コネクタに嵌合した状態の平面図である。図２は図１に示すカード用コネクタの正面図である。図３は図１に示すカード用コネクタを中継コネクタに嵌合した状態の右側面図である。但し、図１乃至図３においてはカードを共に示してある。図４は嵌合した状態のカード用コネクタのコンタクト及び中継コネクタのコンタクトの配列状態を詳細に示す平面図である。図５は図１の５−５線に沿う断面図である。図６は図１の６−６線に沿う断面図である。但し、図６においては中継コネクタを図示していない。
【００１９】
図１乃至図６において、カード用コネクタＡは、一主表面（図５において上面）に２列の接触パッドＣ1 ，Ｃ2 を有するカードＣと接続するものであって、ハウジング１０と、ハウジング１０に２列状に配置されたコンタクト２０1 ，２０2 と、ハウジング１０に取付けられた１組の検出コンタクト３０1 ，３０2 と、カバーシェル４０とを具備している。カード用コネクタＡは、回路基板ＰＣＢ上に実装された中継コネクタＢに嵌合接続された状態でカードＣを受容し、カードＣと回路基板ＰＣＢとを相互に電気的に接続する。なお、カードＣは、本実施形態の場合、スマートカードであり、接触パッドＣ1 ，Ｃ2 はそれぞれ４つづつ設けられている。
【００２０】
ここで、ハウジング１０は、略矩形状に形成され、下面側（図５における下面側）にカードＣを受容するためのカード受容空間１１を有している。ハウジング１０は、ＰＢＴ等の絶縁性の合成樹脂を成形することによって形成される。カード受容空間１１は、ハウジング１０の下面及び後面（図５における左面）の双方に開口している。ハウジング１０の前端には、中継コネクタＢのハウジング５０に形成されたコネクタ受容凹部５１に受容されるプラットフォーム部１４が突出形成されている。また、ハウジング１０には、受容されたカードＣの２列の接触パッドＣ1 ，Ｃ2 のそれぞれと対応する位置に、カード受容空間１１とハウジング１０の上面とを貫通する２列の接触アーム撓み許容穴１２1 ，１２2 が形成されている。さらに、ハウジング１０には、カード受容空間１１の前端位置に、カード受容空間１１とハウジング１０の上面とを貫通する検出スイッチ部収容穴１３が形成されている。
【００２１】
次に、コンタクト２０1 ，２０2 のそれぞれを図１、図４、図７及び図８を参照して詳細に説明する。図７は一方列のコンタクトを示し、（Ａ）は平面図、（Ｂ）は右側面図である。図８は他方列のコンタクトを示し、（Ａ）は平面図、（Ｂ）は右側面図である。
２列のコンタクト２０1 ，２０2 のうち、一方列のコンタクト２０1 は、図１、図４及び図７に示すように、受容されたカードＣの一方列の接触パッドＣ1 に接触する第１接触アーム２１1 と、第１接触アーム２１1 の根元部２２1 から延びる第１リード部２３1 とを備えている。各コンタクト２０1 は、金属板を打ち抜き及び曲げ加工することによって形成される。そして、第１接触アーム２１1 は、弾性変形可能に構成され、図７（Ｂ）に最もよく示すように、根元部２２1 から前方斜め下方に延びてから頂点で折り曲げられ前方斜め上方に延びている。また、第１リード部２３1 は、第１接触アーム２１1 の根元部２２1 から第１接触アーム２１1 と平行かつ同一方向（前方）に延びている。また、第１リード部２３1 の前端には、前方斜め下方に延びる連結部２４1 を介して接触部２５1 が形成されている。接触部２５1 は第１リード部２３1 と平行に延び、中継コネクタＢのコンタクト６０の接触部６１に接触するようになっている。接触部２５1 の前端には、コンタクト６０の接触部６１への接触動作を容易にするための段差部２６1 が形成されている。コンタクト２０1 の第１リード部２３1 及び根元部２２1 は、図４及び図５に示すように、第１接触アーム２１1 が接触アーム撓み許容穴１２1 に位置し、接触部２５1 がプラットフォーム部１４の下面に露出するように、ハウジング１０にインサート成形される。
【００２２】
一方、他方列のコンタクト２０2 は、図１、図４及び図８に示すように、受容されたカードＣの他方列の接触パッドＣ2 に接触する第２接触アーム２１2 と、第２接触アーム２１2 の根元部２２2 から延びる第２リード部２３2 とを備えている。各コンタクト２０2 は、金属板を打ち抜き及び曲げ加工することによって形成される。そして、第２接触アーム２１2 は、弾性変形可能に構成され、図８（Ｂ）に最もよく示すように、根元部２２2 から後方斜め下方に延びてから頂点で折り曲げられ後方斜め上方に延びている。また、第２リード部２３2 は、第２接触アーム２１2 の根元部２２2 から第２接触アーム２１2 と反対方向（前方）に延びている。また、第２リード部２３2 の前端には、前方斜め下方に延びる連結部２４2 を介して接触部２５2 が形成されている。接触部２５2 は第２リード部２３2 と平行に延び、中継コネクタＢのコンタクト６０の接触部６１に接触するようになっている。接触部２５2 の前端には、コンタクト６０の接触部６１への接触動作を容易にするための段差部２６2 が形成されている。コンタクト２０2 の第２リード部２３2 及び根元部２２2 は、図４及び図５に示すように、第２接触アーム２１2 が接触アーム撓み許容穴１２2 に位置して一方列のコンタクト２０1 の第１接触アーム２１1 と対向配置し、接触部２５2 がプラットフォーム部１４の下面に露出するとともに第２リード部２３2 が第１リード部２３1 と平行かつ同一方向に延びるように、ハウジング１０にインサート成形される。
【００２３】
このように、一方列のコンタクト２０1 の第１接触アーム２１1 と他方列のコンタクト２０2 の第２接触アーム２１2 とが対向配置されていることから、接触アームのばね形状の設計の自由度を高くすることができ、所望のばね弾性を容易に設定することができる。このため、２列のコンタクト双方における接触アームの好適なばね設計を容易に行うことができる。
【００２４】
そして、一方列のコンタクト２０1 の第１リード部２３1 が、一方列のコンタクト２０1 の第１接触アーム２１1 の根元部２２1 から第１接触アーム２１1 と平行かつ同一方向に延びるとともに、他方列のコンタクト２０2 の第２リード部２３2 と平行かつ同一方向に延びているので、外部とのインターフェースを１箇所に集中でき、中継コネクタＢとの接続を容易に行うことができる。
【００２５】
また、第１リード部２３1 及び根元部２２1 と第２リード部２３2 及び根元部２２2 とがハウジング１０にインサート成形されていることから、ハウジング１０の成形時に２列のコンタクト２０1 ，２０2 がハウジング１０に取付けられるので、ハウジング１０の成形後に各コンタクト２０1 ，２０2 を圧入によってハウジングに取付ける必要はなく、コンタクト２０1 ，２０2 の付加的組立作業が不要になる。
【００２６】
さらに、ハウジング１０の前端に形成されたプラットフォーム部１４の下面に、第１リード部２３1 及び第２リード部２３2 のそれぞれの前端部に形成された接触部２５1 ，２５2 が露出しているので、ハウジング１０の前端に形成されたプラットフォーム部１４を雄型コネクタとして使用でき、中継コネクタＢへの接続をより容易に行うことができる。
【００２７】
次に、ハウジング１０に取付けられた１組の検出コンタクト３０1 ，３０2 について説明すると、両検出コンタクト３０1 ，３０2 は、カードＣがカード受容空間１１に受容された際に、互いに短絡してカードＣの受容を検知する信号を発するものであって、第１コンタクト３０1 と第２コンタクト３０2 とからなっている。
【００２８】
ここで、第１コンタクト３０1 は、図１、図４及び図６に示すように、受容されたカードＣに押圧されて可動する可動接触片３１1 と、可動接触片３１1 の根元部３２1 から後方に延びるリード部３３1 とを備えている。また、リード部３３1 の後端には、後方斜め下方に延びる連結部３４1 を介して接触部３５1 が形成されている。接触部３５1 はリード部３３1 と平行に延び、中継コネクタＢのコンタクト６２の接触部６３に接触するようになっている。接触部３５1 の前端には、コンタクト６２の接触部６３への接触動作を容易にするための段差部３６1 が形成されている。第１コンタクト３０1 のリード部３３1 及び根元部３２1 は、図４及び図６に示すように、可動接触片３１1 が検出スイッチ部収容穴１３に位置し、接触部３５1 がプラットフォーム部１４の下面に露出するように、ハウジング１０にインサート成形される。
【００２９】
一方、第２コンタクト３０2 は、図１、図４及び図６に示すように、可動接触片３１1 の上方に位置する部分を有しカードＣが受容された際に可動接触片３１1 が接触する接触片３１2 と、接触片３１2 の根元部３２2 から後方に延びるリード部３３2 とを備えている。また、リード部３３2 の後端には、後方斜め下方に延びる連結部３４2 を介して接触部３５2 が形成されている。接触部３５2 はリード部３３2 と平行に延び、中継コネクタＢのコンタクト６２の接触部６３に接触するようになっている。接触部３５2 の前端には、コンタクト６２の接触部６３への接触動作を容易にするための段差部３６2 が形成されている。第２コンタクト３０2 のリード部３３2 及び根元部３２2 は、図４及び図６に示すように、接触片３１2 が検出スイッチ部収容穴１３内であって可動接触片３１1 の上方に位置し、接触部３５2 がプラットフォーム部１４の下面に露出するように、ハウジング１０にインサート成形される。
【００３０】
さらに、カバーシェル４０について説明すると、図１乃至図３に示すように、ハウジング１０の下面を覆う平板部４１と、平板部４１の左右両側から立ち上がる１対の側板部４２と、各側板部４２から延びてハウジング１０にかしめ固定される複数の固定片４３とで構成されている。カバーシェル４０は、金属板を打ち抜き及び曲げ加工することによって形成される。カバーシェル４０の平板部４１をハウジング１０の下面を覆うことで、カード受容空間１１がカード受容スロットを構成し、受容されたカードＣが下方へ抜け出るのを防止するようにしている。また、カード受容空間１１にカードＣが受容された際には、第１接触アーム２１1 及び第２接触アーム２１2 がカードＣの接触パッドＣ1 ，Ｃ2 にカードＣの上方から押圧して接触するが、この際に、カバーシェル４０がカードＣを受けて第１接触アーム２１1 及び第２接触アーム２１2 の押圧力がカバーシェル４０によって受けられる。このため、第１接触アーム２１1 及び第２接触アーム２１2 によるカードＣへの接圧を十分にとることができ、接触パッドＣ1 ，Ｃ2 に対する接触が確実に保証される。ここで、カバーシェル４０は、金属製であるため、樹脂に比べてその機械的強度が高いので、比較的板厚を薄くすることができ、コネクタの低背化を図ることができる。
【００３１】
このように構成されたカード用コネクタＡは、ノート型パーソナルコンピュータ等の電子機器内の回路基板ＰＣＢ上に実装された中継コネクタＢに嵌合接続され、その状態で出荷される。カード用コネクタＡの中継コネクタＢへの嵌合接続に際しては、ハウジング１０のプラットフォーム部１４を中継コネクタＢのコネクタ受容凹部５１内に挿入する。すると、コンタクト２０1 ，２０2 のそれぞれの接触部２５1 ，２５2 が中継コネクタＢのコンタクト６０の接触部６１に接触し、検出コンタクト３０1 ，３０2 のそれぞれの接触部３５1 ，３５2 が中継コネクタＢのコンタクト６２の接触部６３に接触し、それぞれのコンタクト２０1 ，２０2 ，３０1 ，３０2 が回路基板ＰＣＢと電気的に接続された状態となる。
【００３２】
この状態で、カードＣを図１乃至図３、図５及び図６に示すようにカード受容空間１１内に挿入すると、カードＣの上面に形成された接触パッドＣ1 ，Ｃ2 がそれぞれコンタクト２０1 ，２０2 の第１接触アーム２１1 及び第２接触アーム２１2 に接触する。この際、第１接触アーム２１1 及び第２接触アーム２１2 のそれぞれは、カードＣに押圧されて上方へ変位する。これにより、カードＣと回路基板ＰＣＢとが相互に電気的に接続される。また、このとき同時に、カードＣが、検出コンタクトを構成する第１コンタクト３０1 の可動接触片３１1 を押し上げ、可動接触片３１1 が検出コンタクトを構成する第２コンタクト３０2 の接触片３１2 に接触して両検出コンタクト３０1 ，３０2 が短絡する。この接触の際、接触片３１2 も上方へ撓むことにより、可動接触片３１1 及び接触片３１2 間にワイピングが生ずる。これにより、カードＣの受容を検知する信号が回路基板ＰＣＢ側に送出される。
【００３３】
カードＣをカード受容空間１１から引き抜くと、接触パッドＣ1 ，Ｃ2 と第１接触アーム２１1 及び第２接触アーム２１2 との接触状態が解除されるとともに、両検出コンタクト３０1 ，３０2 の短絡状態が解除される。
以上、本発明の実施形態について説明してきたが、本発明はこれに限定されず、種々の変更を行うことができる。
【００３４】
例えば、カードＣは、カードの一主表面に２列の接触パッドを有するものであれば、接触パッドＣ1 ，Ｃ2 をそれぞれ４つづつ設けたスマートカードに限らない。
【００３５】
【発明の効果】
以上説明したように、本発明のうち請求項１に係るカード用コネクタによれば、一方列のコンタクトの第１接触アームと他方列のコンタクトの第２接触アームとが対向配置されているので、接触アームのばね形状の設計の自由度が高く、所望のばね弾性を容易に設定することができる。このため、２列のコンタクト双方における接触アームの好適なばね設計を容易に行うことができる。そして、一方列のコンタクトの第１リード部が、一方列のコンタクトの第１接触アームの根元部から第１接触アームと平行かつ同一方向に延びるとともに、他方列のコンタクトの第２リード部と平行かつ同一方向に延びているので、外部とのインターフェースを１箇所に集中でき、外部機器との接続を容易に行うことができる。
【００３６】
また、本発明のうち請求項２に係るカード用コネクタによれば、請求項１記載の発明において、前記第１リード部及び第２リード部のそれぞれが、前記ハウジングにインサート成形されているので、ハウジングの成形時に２列のコンタクトがハウジングに取付けられるので、ハウジングの成形後に各コンタクトを圧入によってハウジングに取付ける必要はなく、コンタクトの付加的組立作業を不要にすることができる。
【００３７】
さらに、本発明のうち請求項３に係るカード用コネクタによれば、請求項１又は２記載の発明において、前記ハウジングの端部の表面に、前記第１リード部及び第２リード部のそれぞれに形成された接触部が露出しているので、ハウジングの端部を雄型コネクタとして使用でき、外部機器への接続をより容易に行うことができる。
【図面の簡単な説明】
【図１】本発明に係るカード用コネクタを中継コネクタに嵌合した状態の平面図である。但し、図１においてはカードを共に示してある。
【図２】図１に示すカード用コネクタの正面図である。但し、図２においてはカードを共に示してある。
【図３】図１に示すカード用コネクタを中継コネクタに嵌合した状態の右側面図である。但し、図３においてはカードを共に示すとともに、回路基板も共に示してある。
【図４】嵌合した状態のカード用コネクタのコンタクト及び中継コネクタのコンタクトの配列状態を詳細に示す平面図である。
【図５】図１の５−５線に沿う断面図である。但し、図５においては回路基板を共に示してある。
【図６】図１の６−６線に沿う断面図である。但し、図６においては中継コネクタを図示していない。
【図７】一方列のコンタクトを示し、（Ａ）は平面図、（Ｂ）は右側面図である。
【図８】他方列のコンタクトを示し、（Ａ）は平面図、（Ｂ）は右側面図である。
【図９】スマートカードを示し、（Ａ）は平面図、（Ｂ）は正面図である。
【図１０】従来例のカード用コネクタを示し、（Ａ）はカード接続途中の断面図、（Ｂ）はカード接続完了後の断面図である。
【図１１】従来の他の例のカード用コネクタを示し、（Ａ）は両リード部が互いに反対方向に向かって延びているカード用コネクタの主要部の概略平面図、（Ｂ）は両リード部が同一方向に向かって延びているカード用コネクタの主要部の概略平面図、（Ｃ）は両リード部が同一方向に向かって延びているカード用コネクタの主要部の概略平面図である。
【符号の説明】
１０  ハウジング
１１  カード受容空間
２０1   一方列のコンタクト
２０2   他方列のコンタクト
２１1   第１接触アーム
２１2   第２接触アーム
２３1   第１リード部
２３2   第２リード部
２５1 ，２５2   接触部
Ａ  カード用コネクタ
Ｃ  カード
Ｃ1   一方列の接触パッド
Ｃ2   他方列の接触パッド
【図１】
0003892335.tif 000002
【図２】
0003892335.tif 000003
【図３】
0003892335.tif 000004
【図４】
0003892335.tif 000005
【図５】
0003892335.tif 000006
【図６】
0003892335.tif 000007
【図７】
0003892335.tif 000008
【図８】
0003892335.tif 000009
【図９】
0003892335.tif 000010
【図１０】
0003892335.tif 000011
【図１１】
0003892335.tif 000012